(57)【要約】      （修正有）【課題】固形石鹸の水切れを良くし、その溶出を防いで清潔に保ちながら収納するための固形石鹸収納ネット及びネット入り固形石鹸を提供する。【解決手段】固形石鹸収納ネット１０において、固形石鹸１４を収納するための袋状のネット１１と、袋状のネット１１の開口を閉じるための閉じ部１３と、袋状のネット１１に設けられる吊り下げ部１２とを備える。【選択図】図１
0003137376.tif 000002
【実用新案登録請求の範囲】
【請求項１】
固形石鹸を収納するための袋状のネットと、
前記袋状のネットの開口を閉じるための閉じ部と、
前記袋状のネットに設けられる吊り下げ部と、
を備えることを特徴とする固形石鹸収納ネット。
【請求項２】
前記袋状のネットが、内側ネット袋と外側ネット袋により二重に設けられていることを特徴とする請求項１に記載の固形石鹸収納ネット。
【請求項３】
前記内側ネット袋のネットが、前記外側ネット袋のネットより目が細かいネットよりなることを特徴とする請求項２に記載の固形石鹸収納ネット。
【請求項４】
前記袋状のネットが、伸縮性を有するネットからなることを特徴とする請求項１又は２に記載の固形石鹸収納ネット。
【請求項５】
前記袋状のネットには、光触媒とアパタイトの複合体粒子が含まれるむことを特徴とする請求項１又は２に記載の固形石鹸収納ネット。
【請求項６】
前記光触媒とアパタイトの複合体粒子は、アパタイトにより光触媒粒子が被覆された複合体粒子であることを特徴とする請求項５に記載の固形石鹸収納ネット。
【請求項７】
前記光触媒とアパタイトの複合体粒子は、アパタイトの結晶構造中に光触媒が置換された複合体粒子であることを特徴とする請求項５に記載の固形石鹸収納ネット。
【請求項８】
前記光触媒が、二酸化チタン、酸化亜鉛、酸化バナジウム、三酸化二ビスマス、三酸化タングステン、酸化鉄、チタン酸ストロンチウム、硫化カドミウムの何れか一つ又は複数を主成分とすることを特徴とする請求項６又は７に記載の固形石鹸収納ネット。
【請求項９】
前記アパタイトが、フッ化アパタイト又は水酸化アパタイトであることを特徴とする請求項６又は７に記載の固形石鹸収納ネット。
【請求項１０】
固形石鹸と、
前記固形石鹸を収納するための袋状のネットと、
前記袋状のネットの開口を閉じるための閉じ部と、
前記袋状のネットに設けられる吊り下げ部と、
を備えることを特徴とするネット入り固形石鹸。
【請求項１１】
前記袋状のネットが、内側ネット袋と外側ネット袋により二重に設けられていることを特徴とする請求項１０に記載のネット入り固形石鹸。
【請求項１２】
前記内側ネット袋のネットが、前記外側ネット袋のネットより目が細かいネットよりなることを特徴とする請求項１１に記載のネット入り固形石鹸。
【請求項１３】
前記袋状のネットが、伸縮性を有するネットからなることを特徴とする請求項１０又は１１に記載のネット入り固形石鹸。
【請求項１４】
前記固形石鹸に、複数の穴が設けられていることを特徴とする請求項１０に記載のネット入り固形石鹸。
【請求項１５】
前記袋状のネットには、光触媒とアパタイトの複合体粒子が含まれることを特徴とする請求項１０又は１１に記載のネット入り固形石鹸。
【請求項１６】
前記光触媒とアパタイトの複合体粒子は、アパタイトにより光触媒粒子が被覆された複合体粒子であることを特徴とする請求項１５に記載のネット入り固形石鹸。
【請求項１７】
前記光触媒とアパタイトの複合体粒子は、アパタイトの結晶構造中に光触媒が置換された複合体粒子であることを特徴とする請求項１５に記載のネット入り固形石鹸。
【請求項１８】
前記光触媒が、二酸化チタン、酸化亜鉛、酸化バナジウム、三酸化二ビスマス、三酸化タングステン、酸化鉄、チタン酸ストロンチウム、硫化カドミウムの何れか一つ又は複数を主成分とすることを特徴とする請求項１６又は１７に記載のネット入り固形石鹸。
【請求項１９】
前記アパタイトが、フッ化アパタイト又は水酸化アパタイトであることを特徴とする請求項１６又は１７に記載のネット入り固形石鹸。
【考案の詳細な説明】
【技術分野】
【０００１】
本考案は、固形石鹸を清潔に収納するための固形石鹸収納ネット及びネット入り固形石鹸に関するものである。
【背景技術】
【０００２】
従来、使いかけの固形石鹸は、石鹸皿や石鹸箱等の石鹸置きに入れて保存するのが通常であった。
【考案の開示】
【考案が解決しようとする課題】
【０００３】
しかしながら、上記のような石鹸置きは細菌が非常に繁殖しやすいことが知られている。というのも、固形石鹸は水に溶けやすく、この石鹸が溶け出した石鹸水には石鹸の成分である脂肪酸や人の皮脂、皮膚の蛋白成分等、細菌が好む成分が多く含まれているためである。それ故、例えば病院等の医療機関では院内感染防止等の観点から固形石鹸は推奨されておらず、現在では液体石鹸が主流となっていた。
【０００４】
しかし、液体石鹸は固形石鹸に比べて経済的ではないという問題がある。これは、液体石鹸の約７０％が水分であるのに対し、固形石鹸の水分は約１２％であること、さらに固形石鹸の方が石鹸分（界面活性剤）を多く含んでいることからも明らかである。
そのため、固形石鹸を衛生的に保つ方策がこれまで検討されてきた。
【０００５】
本考案は、上記従来の問題点に鑑みて、固形石鹸の水切れを良くし、その溶出を防いで清潔に保ちながら収納するための固形石鹸収納ネット及びネット入り固形石鹸を提供することを目的とする。
【課題を解決するための手段】
【０００６】
上記課題を解決するために、本考案は、固形石鹸を収納するための袋状のネットと、前記袋状のネットの開口を閉じるための閉じ部と、前記袋状のネットに設けられる吊り下げ部と、を備えることを特徴とする固形石鹸収納ネットを提供するものである。
【０００７】
ここで、前記袋状のネットは、内側ネット袋と外側ネット袋により二重に設けられていても良い。このとき、前記内側ネット袋のネットが、前記外側ネット袋のネットより目が細かいネットよりなるようにするのが好適である。
【０００８】
また、前記袋状のネットは、伸縮性を有するネットからなるのが好ましい。
【０００９】
さらに、前記袋状のネットには、光触媒とアパタイトの複合体粒子が含まれるのが好ましい。
【００１０】
ここで、前記光触媒とアパタイトの複合体粒子は、アパタイトにより光触媒粒子が被覆された複合体粒子であるのが良い。あるいは、アパタイトの結晶構造中に光触媒が置換された複合体粒子であっても良い。
【００１１】
また、前記光触媒は、二酸化チタン、酸化亜鉛、酸化バナジウム、三酸化二ビスマス、三酸化タングステン、酸化鉄、チタン酸ストロンチウム、硫化カドミウムの何れか一つ又は複数を主成分とするのが好適である。
【００１２】
さらに、前記アパタイトは、フッ化アパタイト又は水酸化アパタイトであるのが好ましい。
【００１３】
また上記課題を解決するために、本考案は、固形石鹸と、前記固形石鹸を収納するための袋状のネットと、前記袋状のネットの開口を閉じるための閉じ部と、前記袋状のネットに設けられる吊り下げ部と、を備えることを特徴とするネット入り固形石鹸を提供するものである。
【００１４】
ここで、前記袋状のネットは、内側ネット袋と外側ネット袋により二重に設けられていても良い。このとき、前記内側ネット袋のネットが、前記外側ネット袋のネットより目が細かいネットよりなるようにするのが好適である。
【００１５】
また、前記袋状のネットが、伸縮性を有するネットからなるのが好ましい。
【００１６】
さらに、前記固形石鹸には、複数の穴を設けても良い。
【００１７】
また、前記袋状のネットには、光触媒とアパタイトの複合体粒子が含まれている。ここで、前記光触媒とアパタイトの複合体粒子は、アパタイトにより光触媒粒子が被覆された複合体粒子であるのが良い。あるいは、アパタイトの結晶構造中に光触媒が置換された複合体粒子であっても良い。
【００１８】
また、前記光触媒は、二酸化チタン、酸化亜鉛、酸化バナジウム、三酸化二ビスマス、三酸化タングステン、酸化鉄、チタン酸ストロンチウム、硫化カドミウムの何れか一つ又は複数を主成分とするのが好適である。
【００１９】
さらに、前記アパタイトは、フッ化アパタイト又は水酸化アパタイトであるのが好ましい。
【考案の効果】
【００２０】
本考案によれば、固形石鹸の水切れを良くし、その溶出を防ぐことができる。従って、細菌の棲み処となる石鹸水を出さず、固形石鹸を清潔に保持することができる。
【００２１】
また、袋状のネットで固形石鹸を包むことにより、固形石鹸の泡立ちが良くなり、洗浄力が高くなる。さらに、きめ細かい泡が立つまでの時間も通常より早くなり簡便である。
【００２２】
また、固形石鹸が袋状のネットに包まれているため使用の際に石鹸が手から滑ることがない。さらに、吊り下げ部により吊り下げて使用するため、固形石鹸を落して転がしてしまう心配もなく、常に決まった場所に保持できる。
【００２３】
また、袋状のネットに収納されているため、固形石鹸が使用するにつれて小さくなっても最後まで使い切ることができる。
【００２４】
また、光触媒及びアパタイトの複合体を袋状のネットに塗布することにより、抗菌効果を付与することができる。さらに、固形石鹸の洗浄力、消臭力を向上させる。しかも、光触媒及びアパタイトの複合体によるこれらの効果は半永久的に継続するため、常に清潔に保つことが可能となる。
【考案を実施するための最良の形態】
【００２５】
以下、本考案の実施の形態について、図面を参照しながら詳細に説明する。
【００２６】
〔第１の実施形態〕
図１は本考案の第１の実施形態に係る固形石鹸収納ネット及びネット入り固形石鹸の概要を示す模式図である。
この図に示すように、固形石鹸収納ネット１０は、固形石鹸１４を内部に収納するネット袋１１と、このネット袋１１を吊り下げるための吊り下げ部１２と、ネット袋１１の開口を閉じる閉じ部１３よりなる。
【００２７】
ネット袋１１は使用後の固形石鹸１４の水分を切り、乾燥させて保持するものである。ポリエチレン等の合成樹脂よりなるのが好適であるが、伸縮性を有する素材（例えば、ナイロン等のストッキング素材）を使用すれば、固形石鹸１４の大きさに合わせて伸縮し、固形石鹸１４が使用により少しずつ小さくなっても最後までこれにフィットして使いやすい固形石鹸収納ネット１０とすることができる。
【００２８】
このネット袋１１は、固形石鹸１４を内部に収納した後、閉じ部１３によりその上部が閉じられる。その閉じ方としては紐で縛るようにしても良いし、縫い付けるようにしても良い。また、予めネット袋１１を巾着状に形成しておいて、巾着紐で閉じ部１３を形成し、さらにその巾着紐の伸びた部分を吊り下げ部１２としても良い。閉じ部１３はその他、熱着や圧着等、様々な構成が考えられるがその方法は問わない。
【００２９】
またこのネット袋１１には、光触媒及びアパタイトの複合体が含まれているのが好適である。この光触媒及びアパタイトの複合体の抗菌効果により固形石鹸１４を細菌から守るだけでなく、さらに細菌の栄養源となる皮脂や皮膚の蛋白成分自体も分解できる。さらに、有害物質等の吸着、分解効果により洗浄力も向上し、併せて消臭を行うこともできる。
【００３０】
吊り下げ部１２は、好ましくは防水性を有する素材の紐よりなり、図１に示すように輪状にしてフックや蛇口等に引掛けて使用できるように構成する。あるいは、輪状にする代わりにフックや吸盤を取り付けても良い。
【００３１】
上記のように構成したので、この第１の実施形態によれば、固形石鹸の水切れを良くし、その溶出を防ぐことができる。従って、細菌の棲み処となる石鹸水を出さず、固形石鹸を清潔に保持することができる。
【００３２】
また、袋状のネットで固形石鹸を包むことにより、固形石鹸の泡立ちが良くなり、洗浄力が高くなる。さらに、きめ細かい泡が立つまでの時間も通常より早くなり簡便である。
【００３３】
また、固形石鹸が袋状のネットに包まれているため使用の際に石鹸が手から滑ることがない。さらに、吊り下げ部により吊り下げて使用するため、固形石鹸を落して転がしてしまう心配もなく、常に決まった場所に保持できる。
【００３４】
また、袋状のネットに収納されているため、固形石鹸が使用するにつれて小さくなっても最後まで使い切ることができる。
【００３５】
また、収納ネットには、光触媒及びアパタイトの複合体が含まれていることにより、抗菌効果を付与することができる。さらに、固形石鹸の洗浄力、消臭力を向上させる。しかも、光触媒及びアパタイトの複合体によるこれらの効果は半永久的に継続するため、常に清潔に保つことが可能となる。
【００３６】
〔第２の実施形態〕
図２は本考案の第２の実施形態に係る固形石鹸収納ネット及びネット入り固形石鹸の概要を示す模式図、図３はその固形石鹸収納ネットの内側及び外側のネット袋の構成を示す模式図であり、図３（ａ）は内側ネット袋の模式図、図３（ｂ）は外側ネット袋の模式図、図３（ｃ）はこれら内側及び外側のネット袋に固形石鹸を入れた際の断面を示す断面模式図である。
【００３７】
本実施形態では、図２及び図３（ｃ）に示すように固形石鹸収納ネット２０の固形石鹸２４を収納するネット袋を、内側ネット袋２１Ａと外側ネット袋２１Ｂにより二重に設ける。そして図３（ａ）、図３（ｂ）に示すように、その内側ネット袋２１Ａには、外側ネット袋２１Ｂより目の細かいネットを用いる。
【００３８】
このように構成することにより、上述した第１の実施形態の効果に加えて、固形石鹸の泡立ちをさらに良くできるという効果を奏する。きめの細かい泡で皮膚を洗浄すると、泡が毛穴や皺等まで深く入り込み、通常の泡よりも汚れがよく落ちることが知られているが、本実施形態によれば、きめ細かい泡を簡単に素早く泡立てることが可能となり、洗浄力を向上させることができる。
【００３９】
なお、図２及び図３において、２２は固形石鹸収納ネット２０の吊り下げ部、２３はその閉じ部である。
【００４０】
〔第３の実施形態〕
本実施形態では、固形石鹸収納ネットに収納する固形石鹸として、複数の穴が空いた形状の固形石鹸を用いる。
【００４１】
図４は本考案の第３の実施形態に係る固形石鹸の一態様を示す斜視図である。
この図に示すように、固形石鹸収納ネットに収納する固形石鹸３１に複数の穴３２を設けることにより、固形石鹸３１の泡立ちを良くすることができる。なお、ここでは穴３２は貫通穴として図示したが、貫通しない穴としても良い。
【００４２】
次に、本考案において用いる光触媒及びアパタイトの複合体について説明する。
図５は、本考案の固形石鹸収納ネット及びネット入り固形石鹸に係る光触媒及びアパタイト複合体の機能を説明する模式図である。
【００４３】
まず、本考案に用いられるアパタイトとは、Ｍ，Ｚ，Ｘを任意の元素として、Ｍ10（ＺＯ4）6Ｘ2の組成を有する鉱物群であり、日本名ではリン灰石と呼ばれている。ここで、前記のＭとＺの主成分はそれぞれカルシウムとリンであるが、Ｍ，Ｚ，Ｘは種々の元素で比較的容易に置換することができる。Ｍにカルシウム、Ｚにリン、Ｘにフッ素が主成分として入ると、フッ化アパタイト（フルオロアパタイト）となる。また、Ｍにカルシウム、Ｚにリン、Ｘに水酸基が入ると、水酸化アパタイト（ハイドロキシアパタイト）となる。
【００４４】
このアパタイトは、汚れや臭い、細菌等を吸着保持する機能を有する。例えば窒素酸化物や過酸化脂質、アンモニアやアルデヒド類、大腸菌等の細菌やウィルスを吸着できる。
【００４５】
一方、光触媒は、光が照射された際の酸化還元作用により、上記のアパタイトが吸着した汚れや臭い、細菌等を分解除去する作用を有する。
【００４６】
本考案の固形石鹸収納ネット及びネット入り固形石鹸では、このような光触媒とアパタイトを、被覆（光触媒をアパタイトで被覆）、置換（アパタイトの結晶構造中に光触媒を置換）等の方法により複合化し添加する。それにより、アパタイトと光触媒双方の作用を連携させ、優れた抗菌、洗浄、消臭効果を発揮させることができる。
【００４７】
例えば、光触媒は、光を当てることにより非常に強い酸化力を生じ、接触してくる有害化学物質や細菌、カビ、臭い、汚れ等を分解し、炭酸ガスなどに分解し除去することができるが、物質や菌等を引き寄せたり多量に吸着する作用はないため、光触媒表面に接触した物質しか分解できず、また、光が当たらなければ機能することができない。一方で、アパタイトもタンパク質や物質の吸着能に優れ大量に吸着することができるが、それらの分解能がないため一定の吸着量を超えれば飽和してしまいそれ以上は吸着できなくなってしまう。
【００４８】
しかし、光触媒とアパタイトを複合化させると、図５（ａ）に示すように、光が当たらなくても物質を吸着でき、さらに図５（ｂ）に示すように、光がある時にアパタイトが吸着した物質を光触媒が分解するため、吸着機能がその都度再生する。さらに、光触媒は有機物を分解するために一定の時間を必要とするが、アパタイトは吸着した物質を逃さないため、確実に分解することができるという効果もある。このため、本考案の固形石鹸収納ネット及びネット入り固形石鹸は、わずかな光でも優れた抗菌、洗浄、消臭効果を発揮することができる。
【００４９】
また、光触媒をアパタイトと複合させるもう一つのメリットとして、光触媒による基材の分解を防ぐことが挙げられる。光触媒は、プラスチックや繊維、樹脂等の有機系の基材に混合させると、その強力な酸化作用で基材自体を分解し劣化させてしまうという問題点を有していた。しかし、アパタイトと複合させることによりアパタイトが光触媒と基材とのスペーサーの役割を果たすため、光触媒は直接基材に触れず基材を傷めることがなくなる。そのため本考案では、ネット袋の基材となる合成樹脂に光触媒を塗布してもこれを劣化させることがない。
【００５０】
なお、本考案に用いるアパタイトとしては、上記のフッ化アパタイト、水酸化アパタイトのほか、塩化アパタイト、炭酸アパタイト、炭酸化水酸アパタイト等が好適である。
【００５１】
さらに、本考案に用いる光触媒としては、二酸化チタン、酸化亜鉛、酸化バナジウム、三酸化二ビスマス、三酸化タングステン、酸化鉄、チタン酸ストロンチウム、硫化カドミウム等が好適である。
【００５２】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００５３】
本考案は、固形石鹸を清潔に収納するための固形石鹸収納ネット及びネット入り固形石鹸に関するものであり、産業上の利用可能性を有する。
【図面の簡単な説明】
【００５４】
【図１】本考案の第１の実施形態に係る固形石鹸収納ネット及びネット入り固形石鹸の概要を示す模式図である。
【図２】本考案の第２の実施形態に係る固形石鹸収納ネット及びネット入り固形石鹸の概要を示す模式図である。
【図３】本考案の第２の実施形態に係る固形石鹸収納ネットの内側及び外側のネット袋の構成を示す模式図である。
【図４】本考案の第３の実施形態に係る固形石鹸の一態様を示す斜視図である。
【図５】本考案の固形石鹸収納ネット及びネット入り固形石鹸に係る光触媒及びアパタイト複合体の機能を説明する模式図である。
【符号の説明】
【００５５】
１０、２０  固形石鹸収納ネット
１１、２１Ａ、２１Ｂ  ネット袋
１２、２２  吊り下げ部
１３、２３  閉じ部
１４、２４、３１  固形石鹸
３２  穴
【図１】
0003137376.tif 000003
【図２】
0003137376.tif 000004
【図３】
0003137376.tif 000005
【図４】
0003137376.tif 000006
【図５】
0003137376.tif 000007